(57)【特許請求の範囲】
【請求項１】
ブラキバクテリウム属に属する微生物を担持させた介護用シートであって、該ブラキバクテリウムが下記の菌学的性質を有するブラキバクテリウム属に属する新規微生物である介護用シート。
１．形態                       ：多形性桿菌
２．グラム染色性               ：＋
３．胞子                       ：−
４．運動性                    
：−
５．酸素に対する態度           ：好気性
６．オキシダーゼ              
：−
７．カタラーゼ         
：＋
８．集落の色調                
：黄色系
９．抗酸性                     ：−
１０．桿状‐球状  サイクル       ：＋
１１．集落の周辺細胞の伸長       ：−
１２．細胞壁のジアミノ酸        
：メソ‐ジアミノピメリン酸
１３．グリコリル試験             ：−（アセチル型）
１４．細胞壁のアラヒ゛ノ・カ゛ラクタンホ゜リマー  ：− 
１５．ミコール酸                 ：−
１６．キノン系                   ：ＭＫ−７，−８
１７．菌体内ＤＮＡのＧＣ含量     ：７２ｍｏｌ％
１８．硝酸塩の還元               ：＋
１９．脱窒反応                  
：＋
２０．メチルレッド試験          
：−
２１．V−P反応                  
：−
２２．インドールの生成          
：−
２３．硫化水素の生成
ＴＳＩ寒天         
：−
酢酸鉛寒天              
：−
２４．デンプンの加水分解        
：＋
２５．クエン酸塩の利用
コーサー（Koser）の培地          
：−
クリステンセン（Christensen）の培地：−
２６．無機窒素源の利用
硝酸塩                  
：−
アンモニウム塩          
：微弱
２７．色素の生成                
：＋(黄色系)
２８．ウレアーゼ                
：−
２９．オキシダーゼ              
：−
３０．生育の範囲

pH 
：６．０〜１０．０

温度                    
：９〜４２℃
３１．酸の生成
Ｄ−アラビノース         ：−

Ｌ−アラビノース         ：＋
Ｄ−キシロース           ：＋
Ｄ−グルコース          
：＋
Ｄ−マンノース          
：＋
Ｄ−フラクトース         ：＋
Ｄ−ガラクトース        
：＋
マルトース              
：＋
シュークロース          
：＋
ラクトース              
：＋
トレハロース             ：＋
Ｄ−ソルビトール         ：−
Ｄ−マンニトール         ：＋
イノシトール             ：−
グリセリン        
：＋
デンプン                
：＋
メレチトース            
：−
Ｄ−リボース            
：−
３２．ガスの生成
Ｌ−アラビノース         ：−
Ｄ−キシロース           ：−

Ｄ−グルコース          
：−

Ｄ−マンノース          
：−

Ｄ−フラクトース         ：−
Ｄ−ガラクトース        
：−
マルトース              
：−
シュークロース          
：−
ラクトース              
：−
トレハロース             ：−
Ｄ−ソルビトール         ：−
Ｄ−マンニトール         ：−
イノシトール             ：−

グリセリン              
：−

デンプン                
：−
【請求項２】
請求項１に記載のシートで形成されたシーツである寝具。
【請求項３】
請求項１に記載のシートを含有する毛布である寝具。
【請求項４】
前記毛布が綿毛布である請求項３に記載の寝具。
【請求項５】
請求項１に記載のシートを含有する布団である寝具。
【請求項６】
前記布団が掛布団または上掛け、あるいは敷き布団である請求項５の寝具。
【請求項７】
請求項１に記載のシートを含有するベッド用マットであるの寝具。
【請求項８】
請求項１に記載のシートを含有する枕である寝具。
【発明の詳細な説明】
【０００１】
【産業上の利用分野】
本発明は、ブラキバクテリウム（Brachybacterium）属に属する微生物を担持させた介護用シート及び寝具に関する。
【０００２】
【従来の技術】
ブラキバクテリウム属に属する細菌としては、現在のところ下記のようなものが知られている。
Brachybacterium conglomeratum
Brachybacterium faecium
Brachybacterium nesterenkovii
Brachybacterium paraconglomeratum
Brachybacterium rhamnosum
しかしながら、これらのブラキバクテリウムについては、その産業的利用性については、全く研究がなされていないのが現状である。
【０００３】
【発明が解決しようとする課題】
そこで、本願の発明者らは、ブラキバクテリウムについて鋭意研究を重ねたところ、ブラキバクテリウムは、黄色ブドウ球菌に対する抗菌性を持つことを知見した。
本発明の課題は、この知見に基づくものであり、上記ブラキバクテリウムを担持させた介護用シート及び寝具を提供することにある。
【０００４】
【課題を解決するための手段】
上記課題は、下記構成（１）〜（８）により達成することができる。
（１）  ブラキバクテリウム属に属する微生物を担持させた介護用シートであって、該ブラキバクテリウムが下記の菌学的性質を有するブラキバクテリウム属に属する新規微生物である介護用シート。
１．形態                       ：多形性桿菌
２．グラム染色性               ：＋
３．胞子                       ：−
４．運動性                    
：−
５．酸素に対する態度           ：好気性
６．オキシダーゼ              
：−
７．カタラーゼ         
：＋
８．集落の色調                
：黄色系
９．抗酸性                     ：−
１０．桿状‐球状  サイクル       ：＋
１１．集落の周辺細胞の伸長       ：−
１２．細胞壁のジアミノ酸        
：メソ‐ジアミノピメリン酸
１３．グリコリル試験             ：−（アセチル型）
１４．細胞壁のアラヒ゛ノ・カ゛ラクタンホ゜リマー  ：− 
１５．ミコール酸                 ：−
１６．キノン系                   ：ＭＫ−７，−８
１７．菌体内ＤＮＡのＧＣ含量     ：７２ｍｏｌ％
１８．硝酸塩の還元               ：＋
１９．脱窒反応                  
：＋
２０．メチルレッド試験          
：−
２１．V−P反応                
：−
２２．インドールの生成          
：−
２３．硫化水素の生成
ＴＳＩ寒天              
：−
酢酸鉛寒天              
：−
２４．デンプンの加水分解        
：＋
２５．クエン酸塩の利用
コーサー（Koser）の培地          
：−
クリステンセン（Christensen）の培地：−
２６．無機窒素源の利用
硝酸塩                  
：−
アンモニウム塩          
：微弱
２７．色素の生成                
：＋(黄色系)
２８．ウレアーゼ                
：−
２９．オキシダーゼ              
：−
３０．生育の範囲

pH 
：６．０〜１０．０

温度                    
：９〜４２℃
３１．酸の生成
Ｄ−アラビノース         ：−

Ｌ−アラビノース         ：＋
Ｄ−キシロース           ：＋
Ｄ−グルコース          
：＋
Ｄ−マンノース          
：＋
Ｄ−フラクトース         ：＋
Ｄ−ガラクトース        
：＋
マルトース              
：＋
シュークロース          
：＋
ラクトース              
：＋
トレハロース             ：＋
Ｄ−ソルビトール         ：−
Ｄ−マンニトール         ：＋
イノシトール             ：−
グリセリン              
：＋
デンプン                
：＋
メレチトース            
：−
Ｄ−リボース            
：−
３２．ガスの生成
Ｌ−アラビノース         ：−
Ｄ−キシロース           ：−

Ｄ−グルコース          
：−

Ｄ−マンノース          
：−

Ｄ−フラクトース         ：−
Ｄ−ガラクトース        
：−
マルトース              
：−
シュークロース          
：−
ラクトース              
：−
トレハロース             ：−
Ｄ−ソルビトール         ：−
Ｄ−マンニトール         ：−
イノシトール             ：−

グリセリン              
：−

デンプン                
：−
（２）  上記（１）に記載のシートで形成されたシーツである寝具。
（３）  上記（１）に記載のシートを含有する毛布である寝具。
（４）  前記毛布が綿毛布である上記（３）に記載の寝具。
（５）  上記（１）に記載のシートを含有する布団である寝具。
（６）  前記布団が掛布団または上掛け、あるいは敷き布団である上記５の寝具。
（７）  上記（１）に記載のシートを含有するベッド用マットであるの寝具。
（８）  上記（１）に記載のシートを含有する枕である寝具。
【０００５】
▲１▼  インターナショナル  ジャーナル  システマティック  バクテリオロジー（International  Journal  Systematic  Bacteriology）、第３８巻、第４５〜４８ページ  （１９８８）
▲２▼  インターナショナル  ジャーナル  システマティック  バクテリオロジー（International  Journal  Systematic  Bacteriology）、第４２巻、第７４〜７８ページ  （１９９２）
▲３▼  インターナショナル  ジャーナル  システマティック  バクテリオロジー（International  Journal  Systematic  Bacteriology）、第４６巻、第８１〜８７ページ  （１９９６）
▲４▼  インターナショナル  ジャーナル  システマティック  バクテリオロジー（International  Journal  Systematic  Bacteriology）、第４５巻、第１６０〜１６８ページ  （１９９５）
【０００６】
その結果、その微生物は、多形性を示す無芽胞のグラム陽性桿菌であることからブラキバクテリウムであると同定されたが、菌体成分の分析結果が、上記の文献に記載されているいずれの菌種とも一致せず、ブラキバクテリウムに属する新菌であることが確認された。当該微生物は、ブラキバクテリウム（Brachybacterium）菌株AAA−a（寄託番号：ＦＥＲＭ  Ｐ−１６９５１）として工業技術院生命工学工業技術研究所微生物寄託センターに寄託されている。
【０００７】
【発明の実施の形態】
本発明の介護用シートは、ブラキバクテリウムを担持している。ブラキバクテリウムとしては、下記の新規微生物であることが好ましい。
以下、上記のブラキバクテリウムに属する新規微生物の菌学的性質を説明する。
【０００８】
１．形態                      ：多形性桿菌（図１及び図２を参照）
２．グラム染色性              ：＋
３．胞子                      ：−
４．運動性   ：−
５．酸素に対する態度     ：好気性
６．オキシダーゼ ：−
７．カタラーゼ      ：＋
８．集落の色調 ：黄色系
９．抗酸性                    ：−
１０．桿状‐球状  サイクル（rod‐coccus  cycle） ：＋（図１及び図２を参照）
１１．集落の周辺細胞の伸長   ：−
１２．細胞壁のジアミノ酸   ：メソ‐ジアミノピメリン酸（全細胞の酸加水分解物より推定）
１３．グリコリル試験         ：−（アセチル型）
１４．細胞壁のアラビノ・ガラクタンポリマー ：−（全細胞の酸加水分解物より推定）
１５．ミコール酸                ：−
１６．キノン系            ：ＭＫ−７，−８
１７．菌体内ＤＮＡのＧＣ含量   ：７２ｍｏｌ％
（HPLC法による）
１８．硝酸塩の還元              ：＋
１９．脱窒反応 ：＋
２０．メチルレッド試験 ：−
２１．V−P反応 ：−
２２．インドールの生成 ：−
２３．硫化水素の生成
ＴＳＩ寒天 ：−
酢酸鉛寒天              ：−（酢酸鉛は加えずに酢酸鉛試験紙を懸垂して試験）
２４．デンプンの加水分解 ：＋
２５．クエン酸塩の利用
コーサー（Koser）の培地 ：−
クリステンセン（Christensen）の培地：−
２６．無機窒素源の利用
硝酸塩 ：−
アンモニウム塩 ：微弱
２７．色素の生成 ：＋(黄色系)
２８．ウレアーゼ       ：−
２９．オキシダーゼ       ：−
３０．生育の範囲（肉汁ブロスを用いて試験。その際、下記ｐＨは０．５、温度は１℃刻みに試験を行った）
ｐＨ       ：６．０〜１０．０
温度       ：９〜４２℃
最適生育条件
ｐＨ                   ：７．５〜９．０
温度                  ：１８〜２７℃
３１．酸の生成
Ｄ−アラビノース     ：−
Ｌ−アラビノース     ：＋
Ｄ−キシロース         ：＋
Ｄ−グルコース ：＋
Ｄ−マンノース ：＋
Ｄ−フラクトース   ：＋
Ｄ−ガラクトース ：＋
マルトース ：＋
シュークロース ：＋
ラクトース ：＋
トレハロース     ：＋
Ｄ−ソルビトール       ：−
Ｄ−マンニトール       ：＋
イノシトール          ：−
グリセリン ：＋
デンプン ：＋
メレチトース ：−
Ｄ−リボース ：−
３２．ガスの生成
Ｌ−アラビノース     ：−
Ｄ−キシロース         ：−
Ｄ−グルコース ：−
Ｄ−マンノース ：−
Ｄ−フラクトース   ：−
Ｄ−ガラクトース ：−
マルトース ：−
シュークロース ：−
ラクトース ：−
トレハロース     ：−
Ｄ−ソルビトール       ：−
Ｄ−マンニトール       ：−
イノシトール          ：−
グリセリン ：−
デンプン ：−
【０００９】
上記の新規微生物は一般栄養培地であるならいかなる培地でも良好に成育する。他のブラキバクテリウムも同様である。
【００１０】
培養は、好ましくは５〜３０℃、最も好ましくは１８〜２７℃程度で良好に増殖する。
【００１１】
上記の新規微生物の形態的性質は下記の通りである。
（１）細胞の形及び大きさ：
▲１▼  肉汁寒天培地を用いて培養した場合
・３０℃、６時間培養では１．２〜１．４×１．５〜１．９ミクロンの多形性の短桿菌である。
・３０℃、２４時間培養では１．２〜１．４×１．２〜１．５ミクロンの球菌様を示す。
▲２▼  肉汁液体培地を用いて培養した場合
・３０℃、２４時間培養で１．０〜１．２×１．３〜１．４ミクロン
の球菌様を示す。
（２）細胞の多形性：
多形性、及び、桿状−球状  サイクルを認める（図１および２を参
照）。
（３）運動性は認められない。
（４）胞子の形成は認められない。
【００１２】
各培地における上記の新規微生物の培養的性質は下記の通りである。
（１）肉汁寒天平板培地を用いて培養した場合：
・集落は平滑、全縁で光沢が認められる。
・黄色系の集落色素の生成が認められる。
（２）肉汁液体培地を用いて培養した場合：
・培地全体における生育及び沈殿が認められる。
・表面皮膜の形成は認められない。
（３）肉汁ゼラチン穿刺を用いて培養した場合：
・培地の上部に生育が認められるが、液化は認められない。
（４）リトマス・ミルクを用いて培養した場合：
・培地全体に生育が認められるが、凝固及び液化は認められない。
・酸の生成がわずかに認められる。
上記の新規微生物を始めとするブラキバクテリウムは、布製又は紙製のシート（以下、担体と称することがある）に担持される。布製のシートとしては、織布や不織布を用いることができる。
【００１３】
このような担体に微生物群を担持させるには、上記微生物群を水や液体培地に分散させて準備した微生物群分散液を担体に吹きかけるか、これに浸漬した後、乾燥すればよい。
【００１４】
担体の微生物群の担持量は、担持させるときの条件によっても異なるが、好ましくは、５個〜２００億個／ｃｍ３、更に好ましくは１０個〜１００億個／ｃｍ３である。
【００１５】
本発明のブラキバクテリウム担持シートは、黄色ブドウ球菌の抗菌・除菌に有効であり、長期療養者等の床ずれ等の防止の効果が期待できる。また、脱臭効果が確認された。
【００１６】
なお、上記新規微生物は、マウスによる経口投与試験によりその安全性が確認された。上記の効果から、上記ブラキバクテリウム担持シートは、介護用シートとして用いることができる。この介護用シートは、そのままの状態で、あるいは飾り等の処理をしてシーツとして用いることができる。また、上記シートを内部に包含させた寝具としても用いることができる。
【００１７】
以下、本発明の好ましい態様による寝具について詳細に説明する。以下の説明においては、敷布団を例にとって行うが、これに限定されないことは勿論である。
【００１８】
図３は、本発明の好ましい実施例による敷布団１の断面図である。
【００１９】
敷布団１は、中綿２を布団皮３により包んだもので、中綿２の中には、布団のほぼ全面に渡って延びるブラキバクテリウム担持シート４および好ましくは遠赤外線発生物質担持シート５が埋め込まれた形で配置されている。
【００２０】
中綿２としては、通常の木綿、羊毛、真綿、キャメル、ポリエステルまたはレーヨン等の合成繊維等を好ましく用いることができる。
【００２１】
なお、布団皮３は、木綿、毛、絹、あるいはポリエステルまたはレーヨン等の合成繊維等で出来た通常の布で形成されていることが好ましい。
【００２２】
上記ブラキバクテリウム担持シート４は、木綿、麻等の天然繊維や、ナイロン、ポリプロピレン、ポリエステル等の化学繊維を用い、織布、不織布等の形態で形成された布、あるいは紙を基体としている。上記布等には、ブラキバクテリウムが上記のように担持されている。
【００２３】
上記遠赤外線発生物質担持シート５は、ポリエステルまたはレーヨン等の合成繊維で、遠赤外線放射特性を持つ酸化物セラミックスの粒子が、望ましくは繊維の内部に混入されている。ここで使用する遠赤外線放射性酸化物セラミックスとしては、粘土に酸化チタン、酸化ジルコニウム、酸化スズ等のＭ金属酸化物を添加して焼結させたものがあり、具体的にはＺｒＯ２−ＳｉＯ２系セラミックス・Ａｌ２Ｏ３−ＳｉＯ２系セラミックス・ＴｉＯ２−Ｃｒ２Ｏ３系セラミックス・Ａｌ２Ｏ３−（Ｓｉ，Ｔｉ）Ｏ２系セラミックス・（Ａｌ，Ｆｅ，Ｂ，Ｃｒ）２Ｏ３−ＳｉＯ２−（アルカリ金属、アルカリ土類金属）酸化物系セラミックスが挙げられる。
【００２４】
ここにおいて、前記酸化物セラミックスは、体温とほぼ等しい３５．５〜３６．５℃に暖められたとき、人体の赤外線吸収波長に一致した、波長のピークが８〜１４μmの電磁波を放射する遠赤外線放射特性を持ったものが用いられている。
【００２５】
以上の例においては、ブラキバクテリウムおよび遠赤外線発生物質をそれぞれ別の担持シートに担持させたが、同一の担持シートに担持させてもよい。さらには、担持シートは用いずに、中綿２に直接ブラキバクテリウムおよび遠赤外線発生物質を付着させてもよいし、布団皮３に担持させてもよい。この意味で、本発明においては、ブラキバクテリウムおよび遠赤外線発生物質を布団皮３に担持させた場合も「含有」とする。
【実施例】
実施例１
次に、本発明の実施例について説明する。
まず、次のような組成の培地を調製した。
【００２６】
培地
ペプトン          ５ｇ
肉エキス          ５ｇ
水            ５００ｍ１
培地のｐＨ ６．８±０．２
以上の組成の培地にブラキバクテリウム菌株AAA−aを接種し、３０℃にて振とう培養を行った。対数期に達した培地を滅菌した生理食塩水にて希釈し、生菌数約１×１０８／ｍｌになるように調製し、この調製液を直接ブドウ球菌に振り掛けることにより接種したところ、ハローの特性が認められた。上記の他のブラキバクテリウムについても同様の実験を行ったところ、上記新規菌株よりは機能が劣るものの、黄色ブドウ球菌に対してハローの特性が認められた。
【００２７】
実施例２
ブラキバクテリウム菌株AAA-aを、ハートインフュージョン、ブイヨン培地に接種し、３０℃にて振とう培養を行った。
対数期に達した培地を滅菌した生理食塩水にて希釈し、生菌数１×１０８／ml程に調製する。その調製水を生菌数１×１０４／cm２ 程度になるように、布、紙などの担体に塗布し乾燥させる。その様にして作られた素材を用い、９０×１８０cmのシーツを作製した。
このシーツを、寝たきりとなった患者のベットに用いたところ、６ヶ月を経過しても床ずれが生じなかった。なお、菌は汗等の栄養物により６時間後には３×１０７  ／cm２にまで増殖する。この増殖したブラキバクテリウムの持つハローの特性により黄色ブドウ球菌を除去し、あるいは黄色ブドウ球菌の増殖を抑制して床ずれを防止したものと考えられる。
本発明のシーツを用いない外は同じ環境の患者にあっては、早い者で１ヶ月、遅い者でも３ヶ月で床ずれができてしまった。なお、いずれも床ずれ防止用の特別の器具は用いなかった。
【００２８】
また、本発明のシート等によれば、ブドウ球菌により発病する、肺炎、敗血症、骨髄炎、ブドウ球菌腸炎、ブドウ球菌性熱傷様症候群、毒素性ショック症候群を防止できることが考えられる。
【図面の簡単な説明】
【図１】図面代用写真であって、本発明による新規微生物の形態を示す顕微鏡写真である。
【図２】図面代用写真であって、本発明による新規微生物の形態を示す顕微鏡写真である。
【図３】本発明の好ましい実施例による寝具の断面図である。
【符号の説明】
１  敷布団
２  中綿
３  布団皮
４  ブラキバクテリウム担持シート
５  遠赤外線発生物質担持シート
【図１】
0004233695.tif 000002
【図２】
0004233695.tif 000003
【図３】
0004233695.tif 000004